(57)【要約】【課題】センター飾りが平面的に大きくなって遊技領域が狭くなったとしても、普通始動装置を通過した球が可変入賞装置に入賞する可能性を高くする。【解決手段】可変入賞装置１１が開閉体５５を有し、普通始動装置７が球を左または右から可変入賞装置１１の側に向けて通過させる通過形に構成され、普通始動装置７および可変入賞装置１１が遊技盤１の前面に取り付けるための装置基盤５７を共用して普通始動装置７および可変入賞装置１１の遊技盤１への取り付けが簡単となるうえ、開閉体５５が開放された場合、普通始動装置７を左または右から可変入賞装置１１の側に向けて通過した球が可変入賞装置１１に入る可能性を生じるように、普通始動装置７と可変入賞装置１１とが互いに左右の方向に離れて並んで遊技盤１の前面に設けられている。【選択図】図１
2008093121.tif 000002
【特許請求の範囲】
【請求項１】
可変入賞装置が開閉体を有し、普通始動装置が球を左または右から可変入賞装置の側に向けて通過させる通過形に構成され、可変入賞装置の開閉体が開放された場合、普通始動装置を左または右から可変入賞装置の側に向けて通過した球が可変入賞装置に入る可能性を生じるように、上記可変入賞装置と上記普通始動装置とが互いに左右の方向に離れて並んで遊技盤の前面に設けられ、普通始動装置および可変入賞装置が遊技盤の前面に取り付けるための装置基盤を共用したことを特徴とするパチンコ遊技機の遊技盤。
【請求項２】
請求項１に記載の可変入賞装置への入賞調整を行う遊技釘および普通始動装置への振分調整を行う遊技釘が普通始動装置や可変入賞装置と別に遊技盤の前面に設けられたことを特徴とするパチンコ遊技機の遊技盤。
【発明の詳細な説明】
【技術分野】
【０００１】
本発明は、センター飾りが平面的に大きくなって遊技領域が狭くなったとしても、普通始動装置を通過した球が可変入賞装置に入賞する可能性が高くなるパチンコ遊技機の遊技盤に関する。
【背景技術】
【０００２】
図４は、特許文献１で開示されたパチンコ遊技機を示す。パチンコ遊技機では、遊技盤１が遊技機枠６１に格納され、遊技領域６２とガイドレール２とアウト口１２と普通確定表示器５と特別確定表示器６と普通始動装置７と特別始動装置９と可変入賞装置１１および図外の一般入賞装置が遊技機枠６１の前側から窓６３および前面パネル６４を通して視認可能になる。センター飾り３、普通確定表示器５、特別確定表示器６、普通始動装置７、特別始動装置９、可変入賞装置１１、アウト口１２が、上から下に直線上に配置されるように遊技盤１に設けられる。遊技盤１には、図外の一般入賞装置や図外の遊技釘なども設けられる。遊技領域６２は、球発射機構６７から発射された球の飛び交う領域として、前面パネル６４と遊技盤１の前面との間におけるガイドレール２で囲まれた部分として形成される。センター飾り３は、特別確定表示器６の表示面を囲むように遊技盤１の前面に設けられる。特別確定表示器６の表示面に表示された特別図柄などの画像は、遊技機枠６１の前側から前面パネル６４およびセンター飾り３の表示パネル１５を通して視認可能になる。遊技機枠６１の前面には、窓６３、前面パネル６４、球受皿６５、球発射操作機構６６が設けられる。遊技機枠６１の内部には、球発射機構６７が設けられる。そして、遊技者が球受皿６５にパチンコ球と呼ばれる球を入れ、遊技者が球発射操作機構６６を右回りに操作すると、球発射機構６７が球発射操作機構６６の操作量に応じた発射力で駆動し、球発射機構６７が球受皿６５から遊技機枠６１の内部に取り込まれた球を１個ずつ遊技領域６２に向けて発射する。遊技領域６２に到達した球が遊技領域６２を流下する過程において普通始動装置７を構成するチャッカを通過すると、当該普通始動装置７を通過する球を検出した図外の球検出器が普通始動信号を図外の制御装置に出力し、制御装置が普通始動信号に対する当たり外れの抽選を行うとともに普通確定表示器５に普通図柄または普通図柄に相当する表示灯を変動表示させた後、制御装置が当たり外れの抽選の結果を反映するように普通確定表示器５に普通図柄または普通図柄に相当する表示灯を確定表示するように停止表示させる。つまり、普通始動信号に対する当たり外れの抽選として外れが選出されている場合、普通確定表示器５が外れの確定を停止表示する。普通始動信号に対する当たり外れの抽選として当たりが選出されている場合、普通確定表示器５が当たりの確定を停止表示する。普通確定表示器５が当たりの確定を停止表示した場合、制御装置が特別始動装置９の羽根５８を開閉する。そして、遊技領域６２を流下する上記と別の球が特別始動装置９に入ると、当該特別始動装置９に入った球を検出した図外の球検出器が特別始動信号を図外の制御装置に出力し、制御装置が特別始動信号に対する当たり外れの抽選を行うとともに特別確定表示器６に特別図柄または特別図柄に相当する表示灯を変動表示させた後、制御装置が当たり外れの抽選の結果を反映するように特別確定表示器６に特別図柄または特別図柄に相当する表示灯を確定表示するよう停止表示する。つまり、特別始動信号に対する当たり外れの抽選として外れが選出されている場合、特別確定表示器６が外れの確定を停止表示する。特別始動信号に対する当たり外れの抽選として当たりが選出されている場合、特別確定表示器６が当たりの確定を停止表示する。特別確定表示器６が当たりの確定を停止表示した場合、制御装置が可変入賞装置１１の開閉体５５を開閉する。しかしながら、近年、特別確定表示器６を図４に仮想線で示すようにセンター飾り３に対応する部分から別の場所に設置し、センター飾り３に対応する部分に当たりなどの遊技演出を画像で表現する演出表示器として１０インチ乃至１２インチなど大形な液晶表示器を配置している。このような大形な表示画面を有する演出表示器が用いられると、センター飾り３も大きくなり、センター飾り３が大きくなると、球の飛び交う領域としての遊技領域６２が狭くなる。このため、センター飾り３、特別始動装置９、普通始動装置７、可変入賞装置１１、アウト口１２が、上から下に直線上に配置できなくなる。そこで、普通始動装置７と特別始動装置８とが互いに左右に並べられるように遊技盤１に設けられたり、普通始動装置７とセンター飾り３とが互いに左右に並べられるように遊技盤１に設けられたりしているが、これらの場合も、普通始動装置７を通過した球が開閉体５５の開放された可変入賞装置１１に入賞する可能性は低くなるという欠点があった。
【特許文献１】特許第３０３０７２５号公報
【発明の開示】
【発明が解決しようとする課題】
【０００３】
発明が解決しようとする問題点は、普通始動装置を通過した球が可変入賞装置に入賞する可能性は低いという点である。
【課題を解決するための手段】
【０００４】
本発明に係るパチンコ遊技機の遊技盤は、可変入賞装置が開閉体を有し、普通始動装置が球を左または右から可変入賞装置の側に向けて通過させる通過形に構成され、可変入賞装置の開閉体が開放された場合、普通始動装置を左または右から可変入賞装置の側に向けて通過した球が可変入賞装置に入る可能性を生じるように、上記可変入賞装置と上記普通始動装置とが互いに左右の方向に離れて並んで遊技盤の前面に設けられ、普通始動装置および可変入賞装置が遊技盤の前面に取り付けるための装置基盤を共用したことを最も主要な特徴とする。可変入賞装置への入賞調整を行う遊技釘および普通始動装置への振分調整を行う遊技釘が普通始動装置や可変入賞装置と別に遊技盤の前面に設けられてもよい。
【発明の効果】
【０００５】
本発明に係るパチンコ遊技機の遊技盤は、可変入賞装置が開閉体を有し、普通始動装置が球を左または右から可変入賞装置の側に向けて通過させる通過形に構成され、可変入賞装置の開閉体が開放された場合、普通始動装置を左または右から可変入賞装置の側に向けて通過した球が可変入賞装置に入る可能性を生じるように、普通始動装置と可変入賞装置とが互いに左右の方向に離れて並んで遊技盤の前面に設けられ、普通始動装置および可変入賞装置が遊技盤の前面に取り付けるための装置基盤を共用したことによって、普通始動装置および可変入賞装置の遊技盤への取り付けが簡単となるうえ、センター飾りが平面的に大きくなって遊技領域が狭くなったとしても、開閉体が開放された場合、普通始動装置を通過した球が可変入賞装置に入賞する可能性が高くなるという利点がある。可変入賞装置への入賞調整を行う遊技釘および普通始動装置への振分調整を行う遊技釘が普通始動装置や可変入賞装置と別に遊技盤の前面に設けられれば、遊技盤の前面を流下した球を普通始動装置や可変入賞装置に振り分ける釘調整が容易に行えるという利点がある。
【発明を実施するための最良の形態】
【０００６】
図１乃至図３は、発明を実施するための最良の形態である。図１は、遊技盤１の可変入賞装置１１の周りを示す。図２は、普通始動装置７と可変入賞装置１１の開いた開閉体５５との上下位置関係を示す。図３は、遊技盤１の正面全体を示す。本明細書において、「前」、「表」、「後」、「裏」、「左」、「右」、「上」、「下」の方向は、図１または図４の状態に遊技盤を置いて図１や図４の紙面の前側から見た場合に特定される方向である。「前」および「表」は、同じ方向である。「後」および「裏」は、同じ方向である。
【０００７】
図３を参照し、パチンコ遊技機の遊技盤１について説明する。遊技盤１における前面のガイドレール２で囲まれた部分には、センター飾り３、普通確定表示器５、特別確定表示器６、普通始動装置７、特別始動装置８；９、一般入賞装置１０、可変入賞装置１１、アウト口１２、遊技釘１３が設けられる。センター飾り３の一部、普通始動装置７の一部、特別始動装置８；９の一部、一般入賞装置１０の一部、可変入賞装置１１の一部、遊技釘１３の一部は、遊技盤の前面から前側に突出する。遊技盤１の裏側には、演出表示器４が設けられる。センター飾り３には、演出表示窓１４および表示パネル１５が設けられる。演出表示窓１４は、センター飾り３の前面から後側に奥行のある開口である。表示パネル１５は、演出表示窓１４の後部開口を塞ぐ、光透過性の有る部材から構成される。
【０００８】
パチンコ遊技機としては、遊技盤１が図４の遊技機枠６１に格納されることによって、遊技領域６２が前面パネル６４と遊技盤１の前面との間におけるガイドレール２で囲まれた部分として形成され、センター飾り３、演出表示器４、普通確定表示器５、特別確定表示器６、普通始動装置７、特別始動装置８；９、一般入賞装置１０、可変入賞装置１１、アウト口１２、遊技釘１３が、遊技機枠６１の前側から、図４の窓６３および前面パネル６４を通して視認可能になり、演出表示器４の表示画面が、遊技機枠６１の前側から、図４の窓６３、前面パネル６４、演出表示窓１４および表示パネル１５を通して視認可能になる。
【０００９】
図１を参照し、遊技盤１の普通始動装置７と特別始動装置８；９、可変入賞装置１１、遊技釘２１乃至２７、遊技釘３１乃至３７、遊技釘４１乃至５０について説明する。普通確定表示器５と普通始動装置７および可変入賞装置１１が、遊技盤１の前面に固定される装置基盤５１を共用する。普通始動装置７は、可変入賞装置１１の左右両側に配置される。
【００１０】
左側の普通始動装置７は、可変入賞装置１１から左真横に離れており、図２の球通過孔５２を囲むように、装置基盤５１から前側に突出した門形であって、球通過孔５２が球を遊技盤１の前面に沿って矢印Ｘ１で示す左から可変入賞装置１１の側に通過させ、可変入賞装置１１の開閉体５５が前側に開放された場合、左側の普通始動装置７を左から可変入賞装置１１の側に通過した球が可変入賞装置１１に入る可能性が生じる。よって、左側の普通始動装置７が可変入賞装置１１から左真横に配置される位置は、可変入賞装置１１の開閉体５５が前側に開放された場合、左側の普通始動装置７を左から可変入賞装置１１の側に通過した球が可変入賞装置１１に入る可能性が発揮される位置である。
【００１１】
右側の普通始動装置７は、可変入賞装置１１から右真横に離れており、図２の球通過孔５２を囲むように、装置基盤５１から前側に突出した門形であって、球通過孔５２が球を遊技盤１の前面に沿って矢印Ｘ２で示す右から可変入賞装置１１の側に通過させ、可変入賞装置１１の開閉体５５が前側に開放された場合、右側の普通始動装置７を右から可変入賞装置１１の側に通過した球が可変入賞装置１１に入る可能性が生じる。よって、右側の普通始動装置７が可変入賞装置１１から右真横に配置される位置は、可変入賞装置１１の開閉体５５が前側に開放された場合、右側の普通始動装置７を右から可変入賞装置１１の側に通過した球が、可変入賞装置１１に入る可能性が発揮される位置である。
【００１２】
図１に戻り、普通始動装置７には、球検出器５３が個別に設けられる。左側の普通始動装置７に設けられた球検出器５３は、球を左から可変入賞装置１１の側に通過させる球検出孔を備え、球検出孔を通過する球を検出した電気的な信号を普通始動信号として図外の制御装置に出力する。右側の普通始動装置７に設けられた球検出器５３は、球を右から可変入賞装置１１の側に通過させる球検出孔を備え、球検出孔を通過する球を検出した電気的な信号を普通始動信号として図外の制御装置に出力する。
【００１３】
可変入賞装置１１は、球入口部５４および開閉体５５を備える。球入口部５４は、球を取り込むことの可能な前後方向への貫通孔として、装置基盤５１に設けられる。開閉体５５は、装置基盤５１の裏側に設けられた図外の駆動機構によって、開閉軸５６を中心として装置基盤５１の前側で前後方向に開閉されるように、装置基盤５１に設けられる。開閉体５５は、開いた場合、球入口部５４から前側に上り勾配となる前傾状になって球入口部５４を開放し、球が遊技盤１の前面から開閉体５５の上に受け取られて球入口部５４に入る。球入口部５４に取り込まれた球は、装置基盤５１の裏側に可変入賞装置１１の球検出器として設けられた図外の球検出器によって検出される。この可変入賞装置１１の球検出器は、球を検出した電気的な信号を可変入賞信号として図外の制御装置に出力する。開閉体５５は、閉じた場合、垂直状になって球入口部５４を閉鎖し、球が遊技盤１の前面から球入口部５４に入らなくなる。
【００１４】
特別始動装置８；９は、遊技盤１の前面に固定される装置基盤５７を共用する。特別始動装置８は、装置基盤５７から前側に突出したポケットタイプと呼ばれる定形として構成される。特別始動装置９は、左右一対の羽根５８を、装置基盤５７の前側に開閉可能に備える。羽根５８は、装置基盤５７の裏面に設けられた図外の駆動機構によって、左右に開閉される。羽根５８が実線で示すように開放された場合、球が遊技盤１の前面から羽根５８の間を経由して特別始動装置９に入る可能性がある。羽根５８が仮想線で示すように閉鎖された場合、球が遊技盤１の前面から特別始動装置９に入らない。
【００１５】
遊技釘２１は、装置基盤５７から左真横に離れており、可変入賞装置１１への入賞調整および普通始動装置７への振分調整を行う釘である。遊技釘２２は、遊技釘２１から左斜め下方に離れており、普通始動装置７への振分調整を行う釘である。遊技釘２１および遊技釘２２は、連釘を構成する。遊技釘２３は、特別始動装置９から左真横に離れており、可変入賞装置１１への入賞調整を行う釘である。遊技釘２１と遊技釘２２との間の隙間は、球が上下方向に通過不可能である。遊技釘２１と遊技釘２３との間の隙間、遊技釘２２と遊技釘２３との間の隙間、遊技釘２３と開いた開閉体５５との間の隙間、遊技釘２３と普通始動装置７との間の隙間、遊技釘２３と特別始動装置９との間の隙間、普通始動装置７と開いた開閉体５５との間の隙間は、球が上下方向に通過可能である。
【００１６】
遊技釘２４は、装置基盤５１から左真横に離れており、普通始動装置７への入賞調整を行う釘である。遊技釘２５は、遊技釘２４と装置基盤５１との間に配置され、遊技釘２４から右真横に離れる。遊技釘２４と遊技釘２５との間の隙間は、球が上下方向に通過可能である。遊技釘２５と普通始動装置７との間の隙間は、球が通過不可能である。遊技釘２６は、遊技釘２４と遊技釘２５との間から下方に離れる。遊技釘２４と遊技釘２６との間の隙間、遊技釘２５と遊技釘２６との間の隙間は、球が上下方向に通過可能である。遊技釘２５および遊技釘２６は、普通始動装置７への入賞調整を行う命釘である。遊技釘２７は、遊技釘２６と装置基盤５１との間に配置され、遊技釘２６から右斜め下方に離れる。遊技釘２６および遊技釘２７は、連釘を構成する。遊技釘２６と遊技釘２７との間の隙間、遊技釘２７と普通始動装置７との間の隙間は、球が上下方向に通過不可能である。
【００１７】
遊技釘３１は、装置基盤５７から右真横に離れており、可変入賞装置１１への入賞調整および普通始動装置７への振分調整を行う釘である。遊技釘３２は、遊技釘３１から右斜め下方に離れており、普通始動装置７への振分調整を行う釘である。遊技釘３１および遊技釘３２は、連釘を構成する。遊技釘３３は、特別始動装置９から右真横に離れており、可変入賞装置１１への入賞調整を行う釘である。遊技釘３１と遊技釘３２との間の隙間は、球が上下方向に通過不可能である。遊技釘３１と遊技釘３２との間の隙間、遊技釘３２と遊技釘３３との間の隙間、遊技釘３３と開いた開閉体５５との間の隙間、遊技釘３３と普通始動装置７との間の隙間、遊技釘３３と特別始動装置９との間の隙間は、球が上下方向に通過可能である。
【００１８】
遊技釘３４は、装置基盤５１から右真横に離れており、普通始動装置７への入賞調整を行う釘である。遊技釘３５は、遊技釘３４と装置基盤５１との間に配置され、遊技釘３４から左真横に離れる。遊技釘３４と遊技釘３５との間の隙間は、球が上下方向に通過可能である。遊技釘３５と普通始動装置７との間の隙間は、球が上下方向に通過不可能である。遊技釘３６は、遊技釘３４と遊技釘３５との間から下方に離れる。遊技釘３４と遊技釘３６との間の隙間、遊技釘３５と遊技釘３６との間の隙間は、球が上下方向に通過可能である。遊技釘３５および遊技釘３６は、普通始動装置７への入賞調整を行う命釘である。遊技釘３７は、遊技釘３６と装置基盤５１との間に配置され、遊技釘３６から左斜め下方に離れる。遊技釘３６および遊技釘３７は、連釘を構成する。遊技釘３６と遊技釘３７との間の隙間は、球が通過不可能である。遊技釘３７と普通始動装置７との間の隙間は、球が上下方向に通過不可能である。
【００１９】
遊技釘４１および遊技釘４２は、特別始動装置８への入賞調整を行う命釘である。遊技釘４１と遊技釘４２との間の隙間は、球が上下方向に通過可能である。遊技釘４１と特別始動装置８との間の隙間、遊技釘４２と特別始動装置８との間の隙間は、球が左右方向に通過不可能である。遊技釘４３および遊技釘４４は、羽根５８が開いている場合において、特別始動装置９への入賞調整を行う釘である。遊技釘４１と遊技釘４３との間の隙間、遊技釘４３と特別始動装置８との間の隙間、遊技釘４２と遊技釘４４との間の隙間、遊技釘４４と特別始動装置８との間の隙間、遊技釘４３と開いた左の羽根５８との間の隙間、遊技釘４４と開いた右の羽根５８との間の隙間は、球が上下方向に通過可能である。
【００２０】
第１連釘４５は、３本の遊技釘が左右の方向に配置され、左上方から特別始動装置８または特別始動装置９の側に球を誘導する釘である。第１連釘４５における各遊技釘の間の間隔は、球が上下方向に通過不可能である。第１連釘４５の最右端の遊技釘と遊技釘４３との間の隙間、第１連釘４５の最右端の遊技釘と開いた左の羽根５８との間の隙間は、球が上下方向に通過可能である。
【００２１】
第２連釘４６は、３本の遊技釘が左右の方向に配置され、右上方から特別始動装置８または特別始動装置９の側に球を誘導する釘である。第２連釘４６における各遊技釘の間の間隔は、球が上下方向に通過不可能である。第２連釘４６の最左端の遊技釘と遊技釘４４との間の隙間、第２連釘４６の最右端の遊技釘と開いた左の羽根５８との間の隙間は、球が上下方向に通過可能である。
【００２２】
第３連釘４７は、３本の遊技釘が左右の方向に配置され、第１連釘４５から下部において、左上方から特別始動装置８または特別始動装置９の側に球を誘導する釘である。第３連釘４７における各遊技釘の間の間隔は、球が上下方向に通過不可能である。第３連釘４７と第１連釘４５との間隔、第３連釘４７の最右端の遊技釘と遊技釘２１との間の間隔は、球が左右方向に通過可能である。第３連釘４７の最右端の遊技釘と遊技釘４３との間の隙間、第３連釘４７の最右端の遊技釘と開いた左の羽根５８との間の隙間は、球が上下方向に通過可能である。
【００２３】
第４連釘４８は、３本の遊技釘が左右の方向に配置され、第２連釘４６から下部において、右上方から特別始動装置８または特別始動装置９の側に球を誘導する釘である。第４連釘４８における各遊技釘の間の間隔は、球が上下方向に通過不可能である。第４連釘４８と第２連釘４６との間隔、第４連釘４８の最左端の遊技釘と遊技釘３１との間の隙間は、球が左右方向に通過可能である。第４連釘４８の最左端の遊技釘と遊技釘４４との間の隙間、第４連釘４８の最左端の遊技釘と開いた右の羽根５８との間の隙間は、球が上下方向に通過可能である。
【００２４】
第５連釘４９は、２本の遊技釘が左右の方向に配置され、第３連釘４７から下部において、左上方から遊技釘２１；２２の側に球を誘導する釘である。第５連釘４９における各遊技釘の間の間隔は、球が上下方向に通過不可能である。第５連釘４９と第３連釘４７との間の間隔は、球が左右方向に通過可能である。第５連釘４９の最右端の遊技釘と遊技釘２１との間の隙間、第５連釘４９の最右端の遊技釘と遊技釘２２との間の隙間は、球が上下方向に通過可能である。
【００２５】
第６連釘５０は、２本の遊技釘が左右の方向に配置され、第４連釘４８から下部において、右上方から遊技釘３１；３２の側に球を誘導する釘である。第６連釘５０における各遊技釘の間の間隔は、球が上下方向に通過不可能である。第６連釘５０と第４連釘４８との間の間隔は、球が左右方向に通過可能である。第６連釘５０の最左端の遊技釘と遊技釘３１との間の隙間、第５連釘４９の最左端の遊技釘と遊技釘３２との間の隙間は、球が上下方向に通過可能である。
【００２６】
以上のように、図１において、普通始動装置７および可変入賞装置１１が遊技盤１の前面に固定される単一の装置基盤５１を共用しているので、普通始動装置７および可変入賞装置１１の遊技盤１への取り付けが簡単となるという利点がある。しかも、可変入賞装置１１が開閉体５５を有し、普通始動装置７が球を左または右から可変入賞装置１１の側に向けて通過させるチャッカと呼ばれる通過形に構成され、開閉体５５が開放された場合、普通始動装置７を左または右から可変入賞装置１１の側に向けて通過した球が可変入賞装置１１に入る可能性を生じるように、普通始動装置７と可変入賞装置１１とが互いに左右の方向に離れて並んで遊技盤１の前面に設けられている。このため、センター飾り３に対応する部分に当たりなどの遊技演出を画像で表現する演出表示器４が１０インチ乃至１２インチなどの大形な表示画面を有することから、センター飾り３が大きくなって遊技領域６２が狭くなった場合でも、開閉体５５が開放された場合、球が図１に矢印Ｘ１；Ｘ２で示すように普通始動装置７を通過して可変入賞装置１１に入賞する可能性が高くなるという利点がある。
【００２７】
また、図１において、遊技盤１の前面には、可変入賞装置１１への入賞調整を行う遊技釘および普通始動装置７への振分調整を行う遊技釘として、遊技釘２１乃至２７、遊技釘３１乃至３７が設けられているので、遊技盤１の前面を流下した球を普通始動装置７や可変入賞装置１１に振り分ける釘調整が容易に行える。
【００２８】
例えば、第３連釘４７と第５連釘４９との間の隙間を左から右に通過した球Ｐは、矢印Ｘ３で示すように遊技釘２１の上を越えて開閉体５５の側に向かうか、または、矢印Ｘ５で示すように第５連釘４９の最右端の遊技釘と遊技釘２１との間の隙間を上から下に通過する。
【００２９】
矢印Ｘ３で示すように遊技釘２１の上を越えた球は、遊技釘２３の上を越えて開閉体５５の側に向かうか、または、矢印Ｘ４で示すように遊技釘２１と遊技釘２３との間の隙間を上から下に通過する。
【００３０】
矢印Ｘ５で示すように第５連釘４９と遊技釘２１との間の隙間を通過した球は、矢印Ｘ６で示すように遊技釘２２と遊技釘２５との間の隙間を上から下に通過するか、または、矢印Ｘ７で示すように遊技釘２４と遊技釘２５との間の隙間を上から下に通過する。
【００３１】
矢印Ｘ６で示すように遊技釘２２と遊技釘２５との間の隙間を通過した球は、普通始動装置７と遊技釘２３との間の隙間を上から下に通過した後に普通始動装置７と開いた開閉体５５との間に隙間を上方から下方に通過するか、または、開いた開閉体５５の上に取り込まれる。
【００３２】
矢印Ｘ７で示すように遊技釘２４と遊技釘２５との間の隙間を通過した球は、矢印Ｘ８で示すように遊技釘２５と遊技釘２６との間の隙間を上から下に通過した後に普通始動装置７に取り込まれるか、または、矢印Ｘ９で示すように遊技釘２４と遊技釘２６との間の隙間を上から下に通過した後に普通始動装置７や可変入賞装置１１に向かうことなく下方のガイドレール２の上に落下してアウト口１２に取り込まれる。
【００３３】
要するに、矢印Ｘ３；Ｘ４；Ｘ６；Ｘ８で示す経路を通る球は、開いた開閉体５５から可変入賞装置１１に入る可能性を生じる。よって、遊技盤１の前面を流下した球を普通始動装置７や可変入賞装置１１に振り分ける釘調整が容易に行えるという利点がある。
【００３４】
上記、遊技釘２１乃至２７を、遊技釘３１乃至３７と読み替え、第３連釘４７および第５連釘４９を第４連釘４８および第６連釘５０と読み替えることによって、例えば、第４連釘４８と第６連釘５０との間の隙間を右から左に通過した球に対する普通始動装置７や可変入賞装置１１に振り分ける釘調整が容易に行えるという利点があることも容易に理解できるであろう。
【産業上の利用可能性】
【００３５】
図１では普通確定表示器５が普通始動装置７および可変入賞装置１１と遊技盤１の前面に固定される装置基盤５１を共用するように装置基盤５１に設けられたが、普通確定表示器５の遊技盤１への取り付けが面倒になるものの、普通確定表示器５は装置基盤５１を共用することなく、普通始動装置７および可変入賞装置１１と別に構成されて遊技盤１の前面に設けてもよい。
【図面の簡単な説明】
【００３６】
【図１】遊技盤の可変入賞装置の周りの正面図（最良の形態）。
【図２】普通始動装置と開いた開閉体との上下位置関係を示す縦断面図（最良の形態）。
【図３】遊技盤の全体の正面図（最良の形態）。
【図４】パチンコ遊技機の正面図（従来）。
【符号の説明】
【００３７】
１は遊技盤、２はガイドレール、３はセンター飾り、４は演出表示器、５は普通確定表示器、６は特別確定表示器、７は普通始動装置、８は特別始動装置、９は特別始動装置、１０は一般入賞装置、１１は可変入賞装置、１２はアウト口、１３は遊技釘、１４は演出表示窓、１５は表示パネル、１６乃至２０は欠番、２１乃至２７は遊技釘、２８乃至３０は欠番、３１乃至３７は遊技釘、３８乃至４０は欠番、４１乃至４４は遊技釘、４５は第１連釘、４６は第２連釘、４７は第３連釘、４８は第４連釘、４９は第５連釘、５０は第６連釘、５１は装置基盤、５２は球通過孔、５３は球検出器、５４は球入口部、５５は開閉体、５６は開閉軸、５７は装置基盤、５８は羽根、５９乃至６０は欠番、６１は遊技機枠、６２は遊技領域、６３は窓、６４は前面パネル、６５は球受皿、６６は球発射操作機構、６７は球発射機構、Ｐは球。
【図１】
2008093121.tif 000003
【図２】
2008093121.tif 000004
【図３】
2008093121.tif 000005
【図４】
2008093121.tif 000006